(57)【特許請求の範囲】
【請求項１】
ａ）  酸基を有し且つ少なくとも部分的に中和され得る少なくとも１つのエチレン性不飽和モノマー、
ｂ）  少なくとも１つの架橋剤、
ｃ）  少なくとも１つの開始剤、
ｄ）  随意に、ａ）に記載されたモノマーと共重合可能な１つまたはそれより多くのエチレン性不飽和モノマー、および
ｅ）  随意に、１つまたはそれより多くの水溶性ポリマー
を含むモノマー溶液または懸濁液を重合すること、生じるポリマーゲルを通気ベルト式乾燥機上で乾燥させること、乾燥されたポリマーゲルを破砕すること、予備粉砕すること、不完全に乾燥された粒子を振動ふるいによって分離すること、生じるポリマー粒子を粉砕し且つ分級することを含む吸水性ポリマー粒子の製造方法であって、その際、振動ふるいは、厚さ０．５〜５ｍｍ、開孔面積２０〜８０％、および穴径５〜２０ｍｍを有する穴板である、前記製造方法。
【請求項２】
不完全に乾燥された粒子の湿分含有率が、少なくとも１０質量％である、請求項１に記載の方法。
【請求項３】
乾燥されたポリマーゲルを歯付ロールによって破砕する、請求項１または２に記載の方法。
【請求項４】
破砕された粒子を、少なくとも１ｍｍのギャップ幅を有するローラーミルを用いて予備粉砕する、請求項１から３までのいずれか１項に記載の方法。
【請求項５】
前記粒子を、１ｍｍ以下のギャップ幅を有する多段式ローラーミルを用いて粉砕する、請求項１から４までのいずれか１項に記載の方法。
【請求項６】
分離された不完全に乾燥された粒子を、接触式乾燥機を用いてさらに乾燥させる、請求項１から５までのいずれか１項に記載の方法。
【請求項７】
分離された不完全に乾燥された粒子を、さらなる乾燥前に切断する、請求項１から６までのいずれか１項に記載の方法。
【請求項８】
不完全に乾燥された粒子を、穴板を有する２つの振動ふるいのセットを用いて分離する、請求項１から６までのいずれか１項に記載の方法。
【請求項９】
上方の穴板の穴径が、下方の穴板の穴径よりも少なくとも２ｍｍ大きい、請求項８に記載の方法。
【請求項１０】
上方の穴板によって分離された不完全に乾燥された粒子のみを、さらなる乾燥前に切断する、請求項８または９に記載の方法。
【請求項１１】
エチレン性不飽和モノマーａ）の総量におけるアクリル酸の割合が、少なくとも９５ｍｏｌ％である、請求項１から１０までのいずれか１項に記載の方法。
【請求項１２】
エチレン性不飽和モノマーａ）の中和度が、６５〜８０ｍｏｌ％である、請求項１から１１までのいずれか１項に記載の方法。
【請求項１３】
モノマーａ）に対する架橋剤ｂ）の量が、０．３〜０．６質量％である、請求項１から１２までのいずれか１項に記載の方法。
【請求項１４】
吸水性ポリマー粒子が、少なくとも１５ｇ／ｇの遠心保持容量を有する、請求項１から１３までのいずれか１項に記載の方法。
【請求項１５】
吸水性ポリマー粒子が、さらに表面後架橋されている、請求項１から１４までのいずれか１項に記載の方法。
【発明の詳細な説明】
【技術分野】
【０００１】
本発明は、重合すること、生じるポリマーゲルを通気ベルト式乾燥機（ｔｈｒｏｕｇｈ  ｃｉｒｃｕｌａｔｉｏｎ  ｂｅｌｔ  ｄｒｙｅｒ）上で乾燥させること、乾燥されたポリマーゲルを破砕すること、予備粉砕すること、不完全に乾燥された粒子を穴板を用いて分離すること、粉砕すること、および生じるポリマー粒子を分級することを含む、吸水性ポリマー粒子の製造方法に関する。
【０００２】
吸水性ポリマー粒子は、おむつ、タンポン、サニタリーナプキンおよび他の衛生物品を製造するために、さらにはガーデニング市場における保水剤として使用されている。吸水性ポリマー粒子は、しばしば、「吸水性樹脂」、「超吸収体」、「超吸収性ポリマー」、「吸収性ポリマー」、「吸収性ゲル化材料」、「親水性ポリマー」または「ヒドロゲル」とも称される。
【０００３】
吸収性ポリマー粒子の製造は、モノグラフ「Ｍｏｄｅｒｎ  Ｓｕｐｅｒａｂｓｏｒｂｅｎｔ  Ｐｏｌｙｍｅｒ  Ｔｅｃｈｎｏｌｏｇｙ」、Ｆ．Ｌ．  Ｂｕｃｈｈｏｌｚ  ａｎｄ  Ａ．Ｔ．  Ｇｒａｈａｍ，  Ｗｉｌｅｙ−ＶＣＨ、１９９８、７１〜１０３ページに記載されている。
【０００４】
重合された際のヒドロゲルは好ましくは通気ベルト式乾燥機上で乾燥される。該方法において、不均質性とは、ゲル層がしばしば不均質に乾燥され、ヒドロゲルの各々の部分が過乾燥されなければならず、製造物の品質の損傷が引き起こされるか、またはヒドロゲルの一部が不充分にしか乾燥されないことを意味する。不完全に乾燥されたポリマー粒子は、引き続く工程段階において問題をもたらし、且つ、分離除去されなければならない。
【０００５】
乾燥において不完全に乾燥されたポリマー粒子を回避するための方法は、例えばＪＰＨ０６−７３５１８号、ＪＰＨ０６−１０７８００号、ＥＰ０４９７６２３号Ａ２、ＥＰ０５０８８１０号Ａ２およびＥＰ０５７４２４８号Ａ２から公知である。
【０００６】
ＪＰ−Ｈ０６−７３５１８号は、ヒドロゲルをベルト式乾燥機上で乾燥させるための方法であって、乾燥機の電力出力が、ゲル層の現在の厚さに連続的に適合され、そのことによって不完全に乾燥されたポリマー粒子の部分が低減される前記方法を記載している。
【０００７】
ＪＰ−Ｈ０６−１０７８００号は、過乾燥すること、および不完全に乾燥されたポリマー粒子の分離を、乾燥前に大きすぎる塊を除去することによって回避できることを教示している。
【０００８】
ＥＰ０４９７６２３号Ａ２は、乾燥前にヒドロゲルを押し出す方法を開示している。
【０００９】
ＥＰ０５０８８１０号Ａ２およびＥＰ０５７４２４８号Ａ２は重合反応器としての特定のニーダーの使用を教示しており、そこでは、乾燥前に比較的大きなヒドロゲル粒子が回避される。
【００１０】
不完全に乾燥されたポリマー粒子の分離は、例えばＥＰ０９４８９９７号Ａ２、ＵＳ６６４１０６４号およびＵＳ７６８２７０２号内に記載されている。
【００１１】
ＥＰ０９４８９９７号Ａ２およびＵＳ６６４１０６４号は、吸水性ポリマーの連続的な製造方法であって、不完全に乾燥されたポリマー粒子を分離除去し、且つ、適宜、乾燥段階に再循環する前記方法を開示している。
【００１２】
ＵＳ７７８２７０２号は、分離された不完全に乾燥されたポリマー粒子を、乾燥段階に再循環する前に粉砕することを教示している。
【００１３】
本発明は、不完全に乾燥されたポリマー粒子を連続的に分離するための改善された方法を提供することを課題としている。
【００１４】
本発明は、定例の整備作業が減少された、吸水性ポリマー粒子を連続的に生産するための改善された方法を提供することを課題としている。
【００１５】
前記の課題は、
ａ）  酸基を有し且つ少なくとも部分的に中和され得る少なくとも１つのエチレン性不飽和モノマー、
ｂ）  少なくとも１つの架橋剤、
ｃ）  少なくとも１つの開始剤、
ｄ）  随意に、ａ）に記載されたモノマーと共重合可能な１つまたはそれより多くのエチレン性不飽和モノマー、および
ｅ）  随意に、１つまたはそれより多くの水溶性ポリマー
を含むモノマー溶液または懸濁液を重合すること、生じるポリマーゲルを通気ベルト式乾燥機上で乾燥させること、乾燥されたポリマーゲルを破砕すること、予備粉砕すること、不完全に乾燥された粒子を振動ふるいによって分離すること、生じるポリマー粒子を粉砕し且つ分級することを含む吸水性ポリマー粒子の製造方法であって、その際、振動ふるいは、厚さ０．５〜５ｍｍ、開孔面積２０〜８０％、および穴径５〜２０ｍｍを有する穴板である、前記製造方法によって解決された。
【００１６】
穴板の厚さは、好ましくは０．７５〜４ｍｍ、より好ましくは０．９〜３ｍｍ、最も好ましくは１〜２ｍｍである。穴板は好ましくはステンレス鋼製である。穴板の開孔面積は、好ましくは３０〜７０％、より好ましくは４０〜６５％、最も好ましくは４５〜６０％である。前記穴板の開孔面積は、穴板の全ての開口部の面積の和を、穴板の面積で割ったものである。穴の直径は、好ましくは６．５〜１８ｍｍ、より好ましくは８〜１６ｍｍ、最も好ましくは９〜１５ｍｍである。穴は、最短の開孔距離および最長の開孔距離が特定された範囲内である限り、任意の形状を有してよい。穴は好ましくは円形であり、且つ、穴の中心は図１に示されるように等辺三角形を形成する。
【００１７】
本発明は、通常のふるいを使用する代わりに穴板を使用することによって、振動ふるいの寿命が著しく改善することができるという知見に基づいている。
【００１８】
通気ベルト式乾燥機上での乾燥後のヒドロゲルの湿分含有率は、好ましくは１０質量％未満、より好ましくは７．５質量％未満、最も好ましくは５質量％未満であり、特定された湿分含有率は、生じ得る不均一性のために単なる平均値である。
【００１９】
分離された不完全に乾燥されたポリマー粒子の湿分含有率は、好ましくは少なくとも１０質量％、より好ましくは少なくとも１５質量％、最も好ましくは少なくとも２０質量％である。
【００２０】
分離された不完全に乾燥されたポリマー粒子の量は、乾燥されたポリマーゲルに対して、好ましくは５０質量％未満、より好ましくは３５質量％未満、最も好ましくは２５質量％未満である。
【００２１】
分離された不完全に乾燥されたポリマー粒子は、乾燥されたポリマーゲルよりも高い湿分含有率を有する。通常、分離された不完全に乾燥されたポリマー粒子の湿分含有率は１０質量％〜３０質量％の範囲であり、湿分含有率は通常、粒径に伴って増加する。
【００２２】
通気ベルト式乾燥機の最後での、乾燥されたポリマーゲルは多孔質シートの形状を有することがあり、それは任意の適した手段によって破砕されなければならない。好ましくは、通気ベルト式乾燥機の一部であり得る破砕機として歯付ロールが使用される。
【００２３】
破砕によって形成される粗いポリマー粒子は、予備粉砕されなければならない。不完全に乾燥されたポリマー粒子は弾性であり、且つ、単に変形されるが、予備粉砕の間に破壊はされない。湿分含有率１０質量％未満を有する粗いポリマー粒子は脆く、且つ、好ましくは０．１〜１５ｍｍ、より好ましくは０．２〜１０ｍｍ、最も好ましくは０．３〜８ｍｍのメジアン粒径に予備粉砕される。それらの要求を満たす任意の適した手段を、予備粉砕のために使用できる。好ましくはロールミルが予備粉砕のために使用される。ロールミルは、好ましくは１〜１０ｍｍ、より好ましくは１．２〜８ｍｍ、最も好ましくは１．５〜６ｍｍのギャップ幅を有する。
【００２４】
分離される不完全に乾燥されたポリマー粒子の分離後、残っている乾燥されたポリマー粒子を粉砕する。粉砕のための有用な手段は、ピンミル、ハンマミルまたは振動ミルである。好ましくは、多段式のロールミルを粉砕のために使用し、製造物の流れ方向においてギャップ幅が段階的に減少するものが好ましい。三段式のロールミルが特に好ましい。段階数の増加に伴い、粒径分布が狭くなる。本発明に関する多段式ロールミルとは、例えば、複数の連続したロール対を有するロールミル、または各々１つのロール対を有する複数の連続したロールミルである。ロールミルは、好ましくは０．１〜１ｍｍ、より好ましくは０．２〜０．９ｍｍ、最も好ましくは０．２５〜０．８ｍｍのギャップ幅を有する。
【００２５】
本発明の好ましい実施態様において、分離された不完全に乾燥されたポリマー粒子がさらに乾燥される。分離された不完全に乾燥されたポリマー粒子を乾燥させるために有用な乾燥機は、いかなる制限も受けない。好ましくは接触式乾燥機、例えばパドル乾燥機またはディスク乾燥機がかかる乾燥のために有用である。
【００２６】
本発明のより好ましい実施態様において、分離された不完全に乾燥されたポリマー粒子をさらなる乾燥前に切断する。かかる切断のために好ましくはカッティングミルが使用される。
【００２７】
本発明の最も好ましい実施態様において、分離された不完全に乾燥されたポリマー粒子を、穴板を有する２つの振動ふるいのセットを用いて分離する。上方の穴板の穴径は、下方の穴板の穴径よりも好ましくは少なくとも０．５ｍｍ、より好ましくは少なくとも１ｍｍ、最も好ましくは少なくとも２ｍｍ大きい。さらなる乾燥に先立ち、上方の穴板によって分離される不完全に乾燥された粒子のみを切断することが非常に特に好ましい。
【００２８】
不完全に乾燥された粒子、特により大きいものの切断は、かかる粒子のさらなる乾燥を改善する。
【００２９】
吸水性ポリマー粒子の製造を、以下に詳細に記載する。
【００３０】
吸水性ポリマー粒子は、モノマー溶液または懸濁液を重合することによって製造され、且つ典型的には水不溶性である。
【００３１】
モノマーａ）は好ましくは水溶性である、即ち、水中、２３℃での可溶性が典型的には少なくとも１ｇ／水１００ｇ、好ましくは少なくとも５ｇ／水１００ｇ、より好ましくは少なくとも２５ｇ／水１００ｇ、および最も好ましくは少なくとも３５ｇ／水１００ｇである。
【００３２】
適したモノマーａ）は、例えばエチレン性不飽和カルボン酸、例えばアクリル酸、メタクリル酸およびイタコン酸である。特に好ましいモノマーは、アクリル酸およびメタクリル酸である。アクリル酸が非常に特に好ましい。
【００３３】
さらに適したモノマーａ）は、例えばエチレン性不飽和スルホン酸、例えばスチレンスルホン酸および２−アクリルアミド−２−メチルプロパンスルホン酸（ＡＭＰＳ）である。
【００３４】
不純物は重合に著しい影響を有することがある。従って、使用される原料は、最大限の純度を有するべきである。従って、多くの場合、モノマーａ）を特に精製することが有利である。適した精製方法は、例えばＷＯ２００２／０５５４６９号Ａ１、ＷＯ２００３／０７８３７８号Ａ１およびＷＯ２００４／０３５５１４号Ａ１内に記載されている。適したモノマーａ）は、例えば、ＷＯ２００４／０３５５１４号Ａ１に従って精製され且つ９９．８４６０質量％のアクリル酸、０．０９５０質量％の酢酸、０．０３３２質量％の水、０．０２０３質量％のプロピオン酸、０．０００１質量％のフルフラール、０．０００１質量％のマレイン酸無水物、０．０００３質量％のジアクリル酸および０．００５０質量％のヒドロキノンモノメチルエーテルを含むアクリル酸である。
【００３５】
モノマーａ）の総量におけるアクリル酸および／またはその塩の割合は、好ましくは少なくとも５０ｍｏｌ％、より好ましくは少なくとも９０ｍｏｌ％、最も好ましくは少なくとも９５ｍｏｌ％である。
【００３６】
モノマーａ）は典型的には重合阻害剤、好ましくはヒドロキノンモノエーテルを貯蔵安定剤として含む。
【００３７】
モノマー溶液は、各々中和されていないモノマーａ）に対して、好ましくは２５０質量ｐｐｍまで、好ましくは最大１３０質量ｐｐｍ、より好ましくは最大７０質量ｐｐｍ、および好ましくは少なくとも１０質量ｐｐｍ、より好ましくは少なくとも３０質量ｐｐｍおよび特に約５０質量ｐｐｍのヒドロキノンモノエーテルを含む。例えば、モノマー溶液を、適切な含有率のヒドロキノンモノエーテルと共に酸基を有するエチレン性不飽和モノマーを使用することによって調製できる。
【００３８】
好ましいヒドロキノンモノエーテルは、ヒドロキノンモノメチルエーテル（ＭＥＨＱ）および／またはα−トコフェノール（ビタミンＥ）である。
【００３９】
適した架橋剤ｂ）は、架橋のために適した少なくとも２つの基を有する化合物である。かかる基は、例えば、ラジカル重合によりポリマー鎖内に導入可能なエチレン性不飽和基であり、且つ、モノマーａ）の酸基と共有結合を形成できる官能基である。さらには、モノマーａ）の少なくとも２つの酸基と配位結合を形成できる多価の金属塩も、架橋剤ｂ）として適している。
【００４０】
架橋剤ｂ）は、好ましくはラジカル重合によりポリマーネットワーク中に導入可能な少なくとも２つの重合性基を有する化合物である。適した架橋剤ｂ）は例えば、エチレングリコールジメタクリレート、ジエチレングリコールジアクリレート、ポリエチレングリコールジアクリレート、アリルメタクリレート、トリメチロールプロパントリアクリレート、トリアリルアミン、テトラアルキルアンモニウムクロリド、テトラアリルオキシエタン（ＥＰ０５３０４３８号Ａ１に記載）、ジアクリレートおよびトリアクリレート（ＥＰ０５４７８４７号Ａ１、ＥＰ０５５９４７６号Ａ１、ＥＰ０６３２０６８号Ａ１、ＷＯ９３／２１２３７号Ａ１、ＷＯ２００３／１０４２９９号Ａ１、ＷＯ２００３／１０４３００号Ａ１、ＷＯ２００３／１０４３０１号Ａ１およびＤＥ１０３３１４５０号Ａ１に記載）、アクリレート基と同様にさらなるエチレン性不飽和基を含む混合アクリレート（ＤＥ１０３３１４５６号Ａ１およびＤＥ１０３５５４０１号Ａ１に記載）、または架橋剤混合物（例えばＤＥ１９５４３３６８号Ａ１、ＤＥ１９６４６４８４号Ａ１、ＷＯ９０／１５８３０号Ａ１およびＷＯ２００２／０３２９６２号Ａ２に記載）である。
【００４１】
好ましい架橋剤ｂ）は、ペンタエリトリチルトリアリルエーテル、テトラアリルオキシエタン、メチレンビスメタクリルアミド、１５箇所エトキシ化されたトリメチロールプロパントリアクリレート、ポリエチレングリコールジアクリレート、トリメチロールプロパントリアクリレートおよびトリアリルアミンである。
【００４２】
非常に特に好ましい架橋剤ｂ）は、ポリエトキシ化および／またはポリプロポキシ化されたグリセロールであって、アクリル酸またはメタクリル酸でエステル化されてジアクリレートまたはトリアクリレートを生じるものであり、例えばＷＯ２００３／１０４３０１号Ａ１内に記載されている。３〜１０箇所エトキシ化されたグリセロールのジアクリレートおよび／またはトリアクリレートが特に有利である。１〜５箇所エトキシ化および／またはプロポキシ化されたグリセロールのジアクリレートまたはトリアクリレートが非常に特に好ましい。３〜５箇所エトキシ化および／またはプロポキシ化されたグリセロールのトリアクリレート、特に３箇所エトキシ化されたグリセロールのトリアクリレートが最も好ましい。
【００４３】
架橋剤ｂ）の量は、各々、モノマーａ）に対して好ましくは０．０５〜１．５質量％、より好ましくは０．１〜１質量％および最も好ましくは０．３〜０．６質量％である。架橋剤含有率が増加すると、遠心保持容量（ＣＲＣ）が低下し、且つ、２１．０ｇ／ｃｍ2の圧力下での吸収が最大値を通り過ぎる。
【００４４】
使用される開始剤ｃ）は、重合条件下で遊離基を生成する全ての化合物、例えば熱開始剤、レドックス開始剤、光開始剤であってよい。適したレドックス開始剤は、ペルオキソ二硫酸ナトリウム／アスコルビン酸、過酸化水素／アスコルビン酸、ペルオキソ二硫酸ナトリウム／重亜硫酸ナトリウム、および過酸化水素／重亜硫酸ナトリウムである。熱開始剤とレドックス開始剤との混合物、例えばペルオキソ二硫酸ナトリウム／過酸化水素／アスコルビン酸を使用することが好ましい。しかしながら、使用される還元成分は、好ましくは二ナトリウム２−ヒドロキシ−２−スルホナトアセテート、または二ナトリウム２−ヒドロキシ−２−スルフィナトアセテートと、二ナトリウム２−ヒドロキシ−２−スルホナトアセテートと、重亜硫酸ナトリウムとの混合物である。かかる混合物はＢｒｕｅｇｇｏｌｉｔｅ（登録商標）  ＦＦ６およびＢｒｕｅｇｇｏｌｉｔｅ（登録商標）  ＦＦ７  （Ｂｒｕｅｇｇｅｍａｎｎ  Ｃｈｅｍｉｃａｌｓ；  ハイルブロン；  ドイツ）として入手可能である。
【００４５】
酸基を有するエチレン性不飽和モノマーａ）と共重合可能なエチレン性不飽和モノマーｄ）は、例えばアクリルアミド、メタクリルアミド、ヒドロキシエチルアクリレート、ヒドロキシエチルメタクリレート、ジメチルアミノエチルメタクリレート、ジメチルアミノエチルアクリレート、ジメチルアミノプロピルアクリレート、ジエチルアミノプロピルアクリレート、ジメチルアミノエチルメタクリレート、ジエチルアミノエチルメタクリレートである。
【００４６】
使用される水溶性ポリマーｅ）は、ポリビニルアルコール、ポリビニルピロリドン、デンプン、デンプン誘導体、変性セルロース、例えばメチルセルロースまたはヒドロキシエチルセルロース、ゼラチン、ポリグリコールまたはポリアクリル酸、好ましくはデンプン、デンプン誘導体および変性セルロースであってよい。
【００４７】
典型的には、モノマー水溶液が使用される。モノマー溶液の含水率は、好ましくは４０〜７５質量％、より好ましくは４５〜７０質量％、および最も好ましくは５０〜６５質量％である。モノマー懸濁液、即ち、過剰なモノマーａ）、例えばアクリル酸ナトリウムを有するモノマー溶液を使用することも可能である。含水率が上昇すると、次の乾燥におけるエネルギーの需要が上昇し、且つ、含水率が低下すると、重合の熱は不充分にしか除去できなくなる。
【００４８】
最適の作用のために、好ましい重合禁止剤は溶存酸素を必要とする。従って、モノマー溶液は、不活性化、即ち不活性ガス、好ましくは窒素または二酸化炭素の流通によって、重合前に溶存酸素をなくすことができる。モノマー溶液の酸素含有率は好ましくは、重合前に１質量ｐｐｍ未満、より好ましくは０．５質量ｐｐｍ未満、最も好ましくは０．１質量ｐｐｍ未満に下げられる。
【００４９】
重合反応をより良く制御するために、随意に、全ての公知のキレート剤をモノマー溶液もしくは懸濁液に、またはその原料に添加することが可能である。適したキレート剤は例えば、リン酸、二リン酸、三リン酸、ポリリン酸、クエン酸、酒石酸またはそれらの塩である。
【００５０】
さらに適した例は、イミノ二酢酸、ヒドロキシエチルイミノ二酢酸、ニトリロ三酢酸、ニトリロトリプロピオン酸、エチレンジアミン四酢酸、ジエチレントリアミン五酢酸、トリエチレンテトラアミン六酢酸、Ｎ，Ｎ−ビス（２−ヒドロキシエチル）グリシンおよびトランス−１，２−ジアミノシクロヘキサン四酢酸およびそれらの塩である。使用される量は、モノマーａ）に対して、典型的には１〜３００００ｐｐｍ、好ましくは１０〜１０００ｐｐｍ、優先的には２０〜６００ｐｐｍ、より好ましくは５０〜４００ｐｐｍ、最も好ましくは１００〜３００ｐｐｍである。
【００５１】
前記モノマー溶液または懸濁液が重合される。適した反応器は、例えば混練反応器またはベルト式反応器である。ニーダーにおいて、モノマー水溶液もしくは懸濁液の重合において形成されたポリマーゲルを、例えば、ＷＯ２００１／０３８４０２号Ａ１内に記載されるような反転撹拌軸によって連続的に粉砕する。ベルト上での重合は、例えば、ＤＥ３８２５３６６号Ａ１およびＵＳ６２４１９２８号内に記載されている。ベルト式反応器内での重合は、さらなる工程段階において、例えば押出機またはニーダーにおいて粉砕されなければならないポリマーゲルを形成する。
【００５２】
乾燥特性を改善するために、ニーダーを用いて得られた粉砕されたポリマーゲルを、追加的に押し出すことができる。
【００５３】
生じるポリマーゲルの酸基は、典型的には部分的に中和されている。中和は、好ましくはモノマー段階で実施される。これは典型的には、水溶液として、または好ましくは固体としての中和剤内で混合することによって実施される。中和度は好ましくは５０〜９０ｍｏｌ％、より好ましくは６０〜８５ｍｏｌ％、且つ最も好ましくは６５〜８０モル％であり、このために通常の中和剤、好ましくはアルカリ金属水酸化物、アルカリ金属酸化物、アルカリ金属炭酸塩またはアルカリ金属炭酸水素塩およびそれらの混合物を使用できる。アルカリ金属塩の代わりに、アンモニウム塩を使用することも可能である。特に好ましいアルカリ金属はナトリウムおよびカリウムであるが、しかし水酸化ナトリウム、炭酸ナトリウムまたは炭酸水素ナトリウムおよびそれらの混合物が非常に特に好ましい。
【００５４】
しかしながら、重合後に、該重合において形成されたポリマーゲルの段階で中和を行うことも可能である。重合前に、中和剤の一部分を実際にモノマー溶液に添加することにより、４０ｍｏｌ％まで、好ましくは１０〜３０ｍｏｌ％およびより好ましくは１５〜２５ｍｏｌ％の酸基を中和し、且つポリマーゲルの段階で、重合後になって初めて所望の最終的な中和度に調節することも可能である。ポリマーゲルが重合後に少なくとも部分的に中和される場合には、該ポリマーゲルは好ましくは機械的に、例えば押出機を用いて粉砕され、この場合、中和剤は噴霧、散布または注ぎ入れられてよく、その後、入念に混入される。このために、得られるゲル体を均質化のために繰り返し押し出すことができる。
【００５５】
生じるポリマーゲルを、通気ベルト式乾燥機において、残留湿分含有率が好ましくは０．５〜１０質量％、より好ましくは１〜７質量％、最も好ましくは２〜５質量％になるまで乾燥させ、前記残留湿分含有率は、ＥＤＡＮＡ推奨試験方法ＷＳＰ２３０．２−０５「Ｍａｓｓ  Ｌｏｓｓ  Ｕｐｏｎ  Ｈｅａｔｉｎｇ」によって測定される。高すぎる残留湿分含有率の場合、乾燥されたポリマーゲルは、低すぎるガラス転移温度Ｔgを有し、且つ、さらなる加工が困難になる。低すぎる残留湿分含有率の場合、乾燥されたポリマーゲルは脆すぎ、且つ、引く続く破砕および粉砕段階において、過剰に小さな粒径を有する不所望に多量のポリマー粒子が得られる（「微粉」）。乾燥前のゲルの固体含有率は、好ましくは２５〜９０質量％、より好ましくは３５〜７０質量％、および最も好ましくは４０〜６０質量％である。乾燥されたポリマーゲルは、予備整粒（ｐｒｅ−ｓｉｚｉｎｇ）のために破砕される。破砕機は通気ベルト式乾燥機の一部であってよい。
【００５６】
引き続き、乾燥されたポリマーゲルを破砕し、予備粉砕し、不完全に乾燥された粒子から分離し、粉砕し、且つ分級する。
【００５７】
製造物の断片として除去されるポリマー粒子の平均粒径は、好ましくは少なくとも２００μｍ、より好ましくは２５０〜６００μｍ、および非常に特に３００〜５００μｍである。製造物の断片の平均粒径を、ＥＤＡＮＡ推奨試験方法Ｎｏ．ＷＳＰ２２０．２−０５「Ｐａｒｔｉｃｌｅ  Ｓｉｚｅ  Ｄｉｓｔｒｉｂｕｔｉｏｎ」を用いて測定することができ、その際、分級留分の質量割合は累加された形でプロットされ、且つ、平均粒径はグラフから決定される。ここで、平均粒径は、累積で５０質量％をもたらすメッシュサイズの値である。
【００５８】
少なくとも１５０μｍの粒径を有する粒子の割合は、好ましくは少なくとも９０質量％、より好ましくは少なくとも９５質量％、最も好ましくは少なくとも９８質量％である。
【００５９】
小さすぎる粒径を有するポリマー粒子は、生理食塩水流れ誘導性（ｓａｌｉｎｅ  ｆｌｏｗ  ｃｏｎｄｕｃｔｉｖｉｔｙ、ＳＦＣ）を低下させる。従って、過度に小さいポリマー粒子（微粉）の割合は、低くなければならない。
【００６０】
従って、過度に小さいポリマー粒子は典型的には除去され、且つ、工程に再循環される。これは好ましくは、重合前、重合の間または重合の直後、即ち、ポリマーゲルの乾燥前に行われる。過度に小さいポリマー粒子を、再循環の前または再循環の間に、水および／または水性の界面活性剤で湿らせることができる。
【００６１】
過度に小さいポリマー粒子を、後の工程において、例えば表面の後架橋または他の被覆段階の後に除去することも可能である。この場合、再循環された過度に小さいポリマー粒子は表面が後架橋されているか、または他の手段において、例えばフュームドシリカで被覆されている。
【００６２】
重合のために混練反応器が使用される場合、過度に小さいポリマー粒子は好ましくは重合の最後の１／３の間に添加される。
【００６３】
過度に小さいポリマー粒子が非常に早い段階で、例えば実際にモノマー溶液に添加される場合、これは、生じる吸水性ポリマー粒子の遠心保持容量（ＣＲＣ）を下げる。しかしながら、これは、例えば使用される架橋剤ｂ）の量を調節することによって補償することができる。
【００６４】
過度に小さいポリマー粒子が非常に遅い段階で添加される場合、例えば重合反応器の下流に接続される装置、例えば押出機まで添加されない場合、過度に小さいポリマー粒子を生じるポリマーゲル中に混入することは困難である。しかしながら、不充分に混入された過度に小さいポリマー粒子は、乾燥されたポリマーゲルから粉砕の間に再度分離され、従って、分級の間に再度除去され、且つ、再循環されるべき過度に小さいポリマー粒子の量を増加させる。
【００６５】
最大８５０μｍの粒径を有する粒子の割合は、好ましくは少なくとも９０質量％、より好ましくは少なくとも９５質量％、最も好ましくは少なくとも９８質量％である。
【００６６】
最大６００μｍの粒径を有する粒子の割合は、好ましくは少なくとも９０質量％、より好ましくは少なくとも９５質量％、最も好ましくは少なくとも９８質量％である。
【００６７】
過度に大きな粒径のポリマー粒子は、自由膨潤速度を低下させる。従って、過度に大きいポリマー粒子の割合も低くなければならない。
【００６８】
従って、過度に大きいポリマー粒子は典型的には除去され、且つ、乾燥されたポリマーゲルの粉砕に再循環される。
【００６９】
特性を改善するために、ポリマー粒子を次に、熱により後架橋することができる。適した表面後架橋剤は、ポリマー粒子の少なくとも２つの酸基と共有結合を形成できる基を含む化合物である。適した化合物は、例えば多官能性アミン、多官能性アミドアミン、多官能性エポキシド（ＥＰ００８３０２２号Ａ２、ＥＰ０５４３３０３号Ａ１、およびＥＰ０９３７７３６号Ａ２内に記載）、二官能性または多官能性アルコール（ＤＥ３３１４０１９号Ａ１、ＤＥ３５２３６１７号Ａ１およびＥＰ０４５０９２２号Ａ２内に記載）、またはβ−ヒドロキシアルキルアミド（ＤＥ１０２０４９３８号Ａ１およびＵＳ６２３９２３０号内に記載）である。
【００７０】
適した表面後架橋剤として追加的に記載されるものは、環式炭酸塩（ＤＥ４０２０７８０号Ｃ１内）、２−オキサゾリジノンおよびその誘導体、例えば２−ヒドロキシエチル−２−オキサゾリジノン（ＤＥ１９８０７５０２号Ａ１内）、ビス−およびポリ−２−オキサゾリジノン（ＤＥ１９８０７９９２号Ｃ１内）、２−オキソテトラヒドロ−１，３−オキサジンおよびその誘導体（ＤＥ１９８５４５７３号Ａ１内）、Ｎ−アシル−２−オキサゾリジノン（ＤＥ１９８５４５７４号Ａ１内）、環式ウレア（ＤＥ１０２０４９３７号Ａ１内）、二環式アミドアセタール（ＤＥ１０３３４５８４号Ａ１内）、オキセタンおよび環式ウレア（ＥＰ１１９９３２７号Ａ２内）およびモルホリン−２，３−ジオンおよびその誘導体（ＷＯ２００３／０３１４８２号Ａ１内）である。
【００７１】
好ましい表面後架橋剤は、炭酸エチレン、エチレングリコールジグリシジルエーテル、ポリアミドとエピクロロヒドリンとの反応生成物、およびプロピレングリコールと１，４−ブタンジオールとの混合物である。
【００７２】
非常に特に好ましい表面後架橋剤は、２−ヒドロキシエチルオキサゾリジン−２−オン、オキサゾリジン−２−オンおよび１，３−プロパンジオールである。
【００７３】
さらには、ＤＥ３７１３６０１号Ａ１に記載されるとおり、追加的に重合可能なエチレン性不飽和基を含む表面後架橋剤を使用することも可能である。
【００７４】
表面後架橋剤の量は、各々、ポリマー粒子に対して、好ましくは０．００１〜２質量％、より好ましくは０．０２〜１質量％、および最も好ましくは０．０５〜０．２質量％である。
【００７５】
本発明の好ましい実施態様において、表面後架橋剤に加えて、表面後架橋前、表面後架橋の間または表面後架橋後に、多価カチオンを粒子表面に施与することができる。
【００７６】
本発明による方法において有用な多価カチオンは、例えば、二価のカチオン、例えば亜鉛、マグネシウム、カルシウム、鉄およびストロンチウムのカチオン、三価のカチオン、例えばアルミニウム、鉄、クロム、希土類およびマンガンのカチオン、四価のカチオン、例えばチタンおよびジルコニウムのカチオンである。可能な対イオンは、塩化物イオン、臭化物イオン、硫酸イオン、硫酸水素イオン、炭酸イオン、炭酸水素イオン、硝酸イオン、リン酸イオン、リン酸水素イオン、リン酸二水素イオンおよびカルボン酸イオン、例えば酢酸イオンおよび乳酸イオンである。硫酸アルミニウムおよび乳酸アルミニウムが好ましい。金属塩の他に、ポリアミンを多価カチオンとして使用することも可能である。
【００７７】
使用される多価カチオンの量は、各々、ポリマー粒子に対して、例えば０．００１〜１．５質量％、好ましくは０．００５〜１質量％、およびより好ましくは０．０２〜０．８質量％である。
【００７８】
表面後架橋は典型的には表面後架橋剤の溶液を乾燥されたポリマー粒子上に噴霧する方式で実施される。噴霧塗布後、表面後架橋剤で被覆されたポリマー粒子を熱的に乾燥させ、且つ、乾燥の前または乾燥の間のいずれかで表面後架橋反応が起きることができる。
【００７９】
表面後架橋剤の溶液の噴霧塗布を、好ましくは可動式混合器具、例えばスクリュー混合機、ディスク混合機、およびパドル混合機を備えた混合機内で実施する。水平混合機、例えばパドル混合機が特に好ましく、垂直混合機が非常に特に好ましい。水平混合機と垂直混合機とは、混合軸の位置によって区別される、即ち、水平混合機は水平に搭載された混合軸を有し、且つ、垂直混合機は垂直に搭載された混合軸を有する。適した混合機は、例えば、水平Ｐｆｌｕｇｓｃｈａｒ（登録商標）プロシェア混合機  （Ｇｅｂｒ．  Ｌｏｅｄｉｇｅ  Ｍａｓｃｈｉｎｅｎｂａｕ  ＧｍｂＨ；  パーダーボルン；  ドイツ）、Ｖｒｉｅｃｏ−Ｎａｕｔａ連続混合機  （Ｈｏｓｏｋａｗａ  Ｍｉｃｒｏｎ  ＢＶ；  ドゥーティンヘム；  オランダ）、Ｐｒｏｃｅｓｓａｌｌ  Ｍｉｘｍｉｌｌ混合機  （Ｐｒｏｃｅｓｓａｌｌ  Ｉｎｃｏｒｐｏｒａｔｅｄ；  シンシナティ；  米国）およびＳｃｈｕｇｉ  Ｆｌｅｘｏｍｉｘ（登録商標）  （Ｈｏｓｏｋａｗａ  Ｍｉｃｒｏｎ  ＢＶ；  ドゥーティンヘム；  オランダ）である。しかしながら、流動床内で表面後架橋溶液を噴霧することも可能である。
【００８０】
表面後架橋剤は典型的には水溶液の形態で使用される。ポリマー粒子内への表面後架橋剤の侵入深さを、非水性溶剤の含有率および溶剤の総量によって調節することができる。
【００８１】
水が排他的に溶剤として使用される場合、有利には界面活性剤が添加される。これは、湿潤挙動を改善し、塊が形成する傾向を低下させる。しかしながら、溶剤混合物、例えばイソプロパノール／水、１，３−プロパンジオール／水、およびプロピレングリコール／水を使用することが好ましく、その際、質量の観点での混合比は好ましくは２０：８０〜４０：６０である。
【００８２】
熱による表面後架橋を、好ましくは接触式乾燥機、より好ましくはパドル乾燥機、最も好ましくはディスク乾燥機内で実施する。適した乾燥機は、例えばＨｏｓｏｋａｗａ  Ｂｅｐｅｘ（登録商標）  水平パドル乾燥機（Ｈｏｓｏｋａｗａ  Ｍｉｃｒｏｎ  ＧｍｂＨ；  ラインガルテン；  ドイツ）、Ｈｏｓｏｋａｗａ  Ｂｅｐｅｘ（登録商標）ディスク乾燥機  （Ｈｏｓｏｋａｗａ  Ｍｉｃｒｏｎ  ＧｍｂＨ；  ラインガルテン；  ドイツ）およびＮａｒａパドル乾燥機（ＮＡＲＡ  Ｍａｃｈｉｎｅｒｙ  Ｅｕｒｏｐｅ；  フレッヒェン；  ドイツ）である。さらには、流動床乾燥機も使用できる。
【００８３】
熱による表面後架橋を、混合機自体の中で、外装を加熱することまたは温風中で吹き付けることによって実施できる。ダウンストリーム乾燥機、例えば棚段乾燥機、回転管状炉または加熱可能なスクリューも同様に適している。混合および乾燥を流動床式乾燥機内で行うことが特に有利である。
【００８４】
好ましい表面後架橋温度は、１００〜２５０℃、好ましくは１２０〜２２０℃、より好ましくは１３０〜２１０℃、および最も好ましくは１５０〜２００℃の範囲である。反応混合機または乾燥機内でのこの温度での好ましい滞留時間は、好ましくは少なくとも１０分、より好ましくは少なくとも２０分、最も好ましくは少なくとも３０分、および典型的には最長６０分である。
【００８５】
引き続き、表面後架橋されたポリマー粒子を再度分級し、過度に小さいポリマー粒子および／または過度に大きいポリマー粒子が除去され且つ工程に再循環される。
【００８６】
特性をさらに改善するために、表面後架橋されたポリマー粒子を被覆するか、または再加湿することができる。
【００８７】
再加湿は、好ましくは３０〜８０℃、より好ましくは３５〜７０℃、最も好ましくは４０〜６０℃で実施される。過度に低い温度では、吸水性ポリマー粒子は塊を形成する傾向があり、且つ、より高い温度では、水が既に著しく蒸発する。再加湿のために使用される水の量は、好ましくは１〜１０質量％、より好ましくは２〜８質量％、および最も好ましくは３〜５質量％である。再加湿は、ポリマー粒子の機械的な安定性を高め、且つ、それらの静電荷の帯電傾向を低下させる。
【００８８】
自由膨潤速度および生理食塩水流れ誘導性（ＳＦＣ）を改善するために適した被覆は、例えば、無機の不活性物質、例えば水溶性の金属塩、有機ポリマー、カチオン性ポリマーおよび二価もしくは多価の金属カチオンである。ダストを結合するために適した被覆は、例えばポリオールである。ポリマー粒子の望ましくないケーク化傾向を打ち消すために適した被覆は、例えばフュームドシリカ、例えばＡｅｒｏｓｉｌ（登録商標）  ２００および界面活性剤、例えばＳｐａｎ（登録商標）  ２０である。
【００８９】
本発明による方法によって製造された吸水性ポリマー粒子は、遠心保持容量（ＣＲＣ）が、典型的には少なくとも１５ｇ／ｇ、好ましくは少なくとも２０ｇ／ｇ、より好ましくは少なくとも２２ｇ／ｇ、特に好ましくは少なくとも２４ｇ／ｇ、および最も好ましくは少なくとも２６ｇ／ｇである。吸水性ポリマー粒子の遠心保持容量（ＣＲＣ）は、典型的には６０ｇ／ｇ未満である。遠心保持容量（ＣＲＣ）は、ＥＤＡＮＡ推奨試験方法Ｎｏ．  ＷＳＰ  ２４１．２−０５、「Ｆｌｕｉｄ  Ｒｅｔｅｎｔｉｏｎ  Ｃａｐａｃｉｔｙ  ｉｎ  Ｓａｌｉｎｅ，  Ａｆｔｅｒ  Ｃｅｎｔｒｉｆｕｇａｔｉｏｎ」によって測定される。
【００９０】
本発明による方法によって製造された吸水性ポリマー粒子は、４９．２ｇ／ｃｍ2の圧力下での吸収が典型的には少なくとも１５ｇ／ｇ、好ましくは少なくとも２０ｇ／ｇ、より好ましくは少なくとも２２ｇ／ｇ、特に好ましくは少なくとも２４ｇ／ｇ、および最も好ましくは少なくとも２６ｇ／ｇである。吸水性ポリマー粒子の４９．２ｇ／ｃｍ2の圧力下での吸収は、典型的には３５ｇ／ｇ未満である。４９．２ｇ／ｃｍ2の圧力下での吸収は、ＥＤＡＮＡ推奨試験方法Ｎｏ．ＷＳＰ  ２４２．２−０５  「Ａｂｓｏｒｐｔｉｏｎ  ｕｎｄｅｒ  Ｐｒｅｓｓｕｒｅ，  Ｇｒａｖｉｍｅｔｒｉｃ  Ｄｅｔｅｒｍｉｎａｔｉｏｎ」と同様に測定されるが、ただし、２１．０ｇ／ｃｍ2の圧力の代わりに４９．２ｇ／ｃｍ2の圧力に設定される点で異なる。
【００９１】
方法：
特段記載されない限り、測定は、雰囲気温度２３±２℃、および相対湿度５０±１０％で行われるべきである。測定前に吸水性ポリマー粒子を徹底的に混合する。
【００９２】
遠心保持容量
吸水性ポリマー粒子の遠心保持容量（ＣＲＣ）を、ＥＤＡＮＡ推奨試験方法Ｎｏ．  ＷＳＰ  ２４１．２−０５  「Ｃｅｎｔｒｉｆｕｇｅ  Ｒｅｔｅｎｔｉｏｎ  Ｃａｐａｃｉｔｙ」によって測定する。
【００９３】
前記のＥＤＡＮＡ試験方法は、例えばＥＤＡＮＡ（Ａｖｅｎｕｅ  Ｅｕｇｅｎｅ  Ｐｌａｓｋｙ  １５７，  Ｂ−１０３０  ブリュッセル、ベルギー）から入手可能である。
【図面の簡単な説明】
【００９４】
【図１】本願発明において使用される穴板の穴の構成を例示する図である。
【実施例】
【００９５】
例１
脱イオン水、５０質量％の水酸化ナトリウム溶液、およびアクリル酸を連続的に混合することによって、アクリル酸／アクリル酸ナトリウム溶液を、中和度が７１．３ｍｏｌ％になるように調製した。モノマー溶液の固体含有率は３８．８質量％であった。
【００９６】
使用されたポリエチレン性不飽和の架橋剤は、ポリエチレングリコール４００ジアクリレート（平均モル質量４００ｇ／ｍｏｌを有するポリエチレングリコールに由来するジアクリレート）であった。使用量は、モノマー溶液１トンあたり２ｋｇの架橋剤であった。
【００９７】
ラジカル重合を開始させるために、０．２５質量％の過酸化水素水溶液１．０３ｋｇ、１５質量％のペルオキソ二硫酸ナトリウム水溶液３．１０ｋｇ、および１質量％のアスコルビン酸水溶液１．０５ｋｇを、モノマー溶液１トンあたり使用した。
【００９８】
モノマー溶液のスループットは２０ｔ／ｈであった。反応溶液は、供給時で温度２３．５℃であった。
【００９９】
個々の成分を以下の量で、連続的に、容量６．３ｍ3を有するＬｉｓｔ  Ｃｏｎｔｉｋｎｅｔｅｒ連続ニーダー反応器  （ＬＩＳＴ  ＡＧ、アリスドルフ、スイス）内に計量供給した：
２０ｔ／ｈのモノマー溶液
４０ｋｇ／ｈのポリエチレングリコール−４００ジアクリレート
８２．６ｋｇ／ｈの過酸化水素溶液／ペルオキソ二硫酸ナトリウム溶液
２１ｋｇ／ｈのアスコルビン酸溶液。
【０１００】
架橋剤のための添加点と、開始剤のための添加部位との間で、モノマー溶液を窒素で不活性化した。
【０１０１】
滞留時間の約５０％の後、粉砕および分級によって製造工程から得られた微粉の、反応器への計量添加（１０００ｋｇ／ｈ）を追加的に行った。反応器内での反応混合物の滞留時間は１５分であった。
【０１０２】
生じるポリマーゲルを通気ベルト式乾燥機上に配置した。通気ベルト式乾燥機上では、空気／ガス混合物がポリマーゲルの周りを連続的に流れ、それを乾燥させた。ベルト式乾燥機における滞留時間は３７分であった。乾燥されたポリマーゲルを、歯付ロールを使用して通気ベルト式乾燥機の最後で破砕した。
【０１０３】
破砕することによって形成された粗いポリマー粒子を、１．５ｍｍのギャップ幅を有するロールミルを用いて予備粉砕した。この後、不完全に乾燥された粒子を、穴板を有する２つの振動ふるいのセットを用いて分離した。上方の穴板は、厚さ１．３ｍｍ、開孔面積５１％、および穴径１４．３ｍｍを有した。下方の穴板は、厚さ１．３ｍｍ、開孔面積５１％、および穴径９．５ｍｍを有した。穴は円形であり、且つ、穴の中心は等辺三角形を形成する。穴板の寿命は１年を超えた。
【０１０４】
分離された不完全に乾燥された粒子を、ディスク乾燥機内で乾燥させ、予備粉砕し、且つ、不完全に乾燥された粒子の分離へと再循環した。上方の穴板によって分離された、不完全に乾燥された粒子を、さらなる乾燥前にカッティングミルを使用して切断した。
【０１０５】
乾燥されたポリマーゲルを三段式のロールミルを使用して粉砕し、且つ、１５０〜８５０μｍの粒径の分級物にふるい分けた。生じるベースポリマーは、表面が後架橋されていた。
【０１０６】
Ｓｃｈｕｇｉ  Ｆｌｅｘｏｍｉｘ（登録商標）  （Ｈｏｓｏｋａｗａ  Ｍｉｃｒｏｎ  Ｂ．Ｖ．、ドゥーティンヘム、オランダ）内で、ベースポリマーを表面後架橋剤溶液で被覆し、次にＮＡＲＡパドル乾燥機  （ＧＭＦ  Ｇｏｕｄａ、ワッディンクフェーン、オランダ）内、１９０℃で４５分間乾燥させた。パドル乾燥機を、圧力２４ｂａｒ（２２０℃）を有する蒸気で加熱した。
【０１０７】
以下の量をＳｃｈｕｇｉ  Ｆｌｅｘｏｍｉｘ（登録商標）に計量供給した：
７．５ｔ／ｈのベースポリマー
２７０．０ｋｇ／ｈの表面後架橋溶液。
【０１０８】
表面後架橋剤の溶液は、２．８質量％の２−ヒドロキシエチル−２−オキサゾリドン、２．８質量％の硫酸アルミニウム、６６．１質量％の脱イオン水および２８．３質量％のイソプロパノールを含んだ。
【０１０９】
乾燥後、表面を後架橋されたベースポリマーを、ＮＡＲＡパドル冷却機  （ＧＭＦ  Ｇｏｕｄａ、ワッディンクフェーン、オランダ）内で約６０℃に冷却した。
【０１１０】
生じる吸水性ポリマー粒子は、遠心保持容量（ＣＲＣ）２８．４ｇ／ｇを有した。
【０１１１】
例２（比較例）
例１を繰り返したが、不完全に乾燥された粒子を分離するために使用される穴板のセットを、同等のメッシュサイズのふるいによって置き換えた点で異なる。ふるいの寿命は約４ヶ月であった。
【図１】
0006312680.tif 000002